(57)【要約】【課題】複数の表示パネルのうちの１つの表示パネルにコンテンツが全画面表示されるモードと複数の表示パネルを１つの画面として当該複数の表示パネルに１つのコンテンツが全画面表示されるモードへと切り替える。【解決手段】画像表示装置１００は、第１および第２の表示パネル１４０，２４０と、第１のモード中に第１の命令を受け付ける受付手段１１２と、第１の命令を受け付けた際に、第１の画像が所定エリアに表示されているか否かを判断する判断手段１１３と、第１の画像が所定エリアに表示されている場合に第３のモードに切り替え、第１の画像が所定エリアに表示されていない場合に第２のモードに切り替える切替手段１１４とを備える。【選択図】図１２
2010122376.tif 000002
【特許請求の範囲】
【請求項１】
第１および第２の表示パネルと、
第１のモードにおいて前記第１の表示パネルの一部に第１の画像を表示させ、第２のモードにおいて前記第１の画像に対応する第２の画像を前記第１の表示パネルに全画面表示させ、第３のモードにおいて前記第１の画像に対応する前記第３の画像を前記第１および第２の表示パネルに全画面表示させる表示制御手段と、
前記第１のモード中に第１の命令を受け付ける受付手段と、
前記第１の命令を受け付けた際に、前記第１の画像が所定エリアに表示されているか否かを判断する判断手段と、
前記判断手段が前記第１の画像が前記所定エリアに表示されていると判断した場合に第３のモードに切り替え、前記判断手段が前記第１の画像が前記所定エリアに表示されていないと判断した場合に第２のモードに切り替える切替手段とを備える、画像表示装置。
【請求項２】
前記判断手段は、前記表示制御手段が前記第１の表示パネルと前記第２の表示パネルとに前記第１の画像を表示させているか否かを判断し、前記表示制御手段が前記第１の表示パネルと前記第２の表示パネルとに前記第１の画像を表示させている場合に、前記第１の画像が前記所定エリアに表示されていると判断する、請求項１に記載の画像表示装置。
【請求項３】
前記受付手段は、前記第３のモード中に第２の命令を受け付け、
前記切替手段は、前記第２の命令を受け付けた際に、前記第１のモードに切り替える、請求項１または２に記載の画像表示装置。
【請求項４】
前記受付手段は、前記第３のモード中に、前記第２の命令を受け付けるとともに、前記第１および第２の表示パネルのいずれかを介して、前記第１および第２の表示パネルのいずれかにおける位置を指定する第１の指定命令を受け付け、
前記表示制御手段は、前記第１の指定命令に基づいて、前記第１および第２の表示パネルのいずれかにおける前記指定位置に前記第１の画像を表示させる、請求項３に記載の画像表示装置。
【請求項５】
前記受付手段は、前記第２のモード中に第３の命令を受け付け、
前記切替手段は、前記第３の命令を受け付けた際に、前記第１のモードに切り替える、請求項４に記載の画像表示装置。
【請求項６】
前記受付手段は、前記第２のモード中に、前記第３の命令を受け付けるとともに、前記第１の表示パネルを介して、前記第１の表示パネルにおける位置を指定する第２の指定命令を受け付け、
前記表示制御手段は、前記第２の指定命令に基づいて、前記第１の表示パネルにおける前記指定位置に前記第１の画像を表示させる、請求項５に記載の画像表示装置。
【請求項７】
前記第１および第２の表示パネルの各々は、
入射光に応じて入力信号を生成する複数の光センサ回路と、
出力信号に応じて光を発する複数の画素回路とを含み、
前記受付手段は、前記第１および第２の表示パネルからの前記入力信号に基づいて前記命令を受け付け、
前記表示制御手段は、前記第１および第２の表示パネルに前記出力信号を出力することによって、前記第１および第２の表示パネルに前記画像を表示させる、請求項１から６のいずれか１項に記載の画像表示装置。
【請求項８】
第１および第２の表示パネルと演算処理部とを備える画像表示装置における画像表示方法であって、
前記演算処理部が、第１のモードにおいて前記第１の表示パネルの一部に第１の画像を表示させるステップと、
前記演算処理部が、第２のモードにおいて前記第１の画像に対応する第２の画像を前記第１の表示パネルに全画面表示させるステップと、
前記演算処理部が、第３のモードにおいて前記第１の画像に対応する前記第３の画像を前記第１および第２の表示パネルに全画面表示させるステップと、
前記演算処理部が、前記第１のモード中に第１の命令を受け付けるステップと、
前記演算処理部が、前記第１の命令を受け付けた際に、前記第１の画像が所定エリアに表示されているか否かを判断するステップと、
前記演算処理部が、前記第１の画像が前記所定エリアに表示されていると判断した場合に第３のモードに切り替えるステップと、
前記演算処理部が、前記第１の画像が前記所定エリアに表示されていないと判断した場合に第２のモードに切り替えるステップとを備える、画像表示方法。
【請求項９】
第１および第２の表示パネルと演算処理部とを備える画像表示装置に画像を表示させるための画像表示プログラムであって、
前記演算処理部に、
第１のモードにおいて前記第１の表示パネルの一部に第１の画像を表示させるステップと、
第２のモードにおいて前記第１の画像に対応する第２の画像を前記第１の表示パネルに全画面表示させるステップと、
第３のモードにおいて前記第１の画像に対応する前記第３の画像を前記第１および第２の表示パネルに全画面表示させるステップと、
前記第１のモード中に第１の命令を受け付けるステップと、
前記第１の命令を受け付けた際に、前記第１の画像が所定エリアに表示されているか否かを判断するステップと、
前記第１の画像が前記所定エリアに表示されていると判断した場合に第３のモードに切り替えるステップと、
前記第１の画像が前記所定エリアに表示されていないと判断した場合に第２のモードに切り替えるステップとを実行させる、画像表示プログラム。
【発明の詳細な説明】
【技術分野】
【０００１】
本発明は、ユーザからの命令に応じて表示パネル上に表示されている画像の表示態様を変更させる画像表示装置、画像表示方法、および画像表示プログラムに関し、特に、複数の表示パネルを有するとともに、当該複数の表示パネルの少なくともいずれかに画像を全画面表示させることができる画像表示装置、画像表示方法、および画像表示プログラムに関する。
【背景技術】
【０００２】
静止画像や動画像などのコンテンツを表示することができる画像表示装置が知られている。そのような画像表示装置の中には、複数の表示パネルを有し、当該複数の表示パネルに１つのコンテンツを全画面表示できるものがある。
【０００３】
たとえば、特開２００６−３１４６１０号公報（特許文献１）には、テレビゲーム装置が開示されている。特開２００６−３１４６１０号公報（特許文献１）によると、テレビゲーム装置は表示部を有し、表示部の画面にはタッチ操作部が設けられている。表示部には異なる２つのゲーム画像がそれぞれ表示され、表示部のゲーム画像は表示部のゲーム画像よりも拡大された画像となっている。遊技者がタッチ操作部により所定のタッチ操作をすると、表示部のゲーム画像と表示部のゲーム画像とが相互に入れ替えられ、表示部に表示されたゲーム画像に対してタッチ操作可能になる。遊技者が表示部に表示されたゲーム画像の特定のオブジェクトにタッチ操作すると、そのタッチ操作に対応する特殊なゲーム効果が発生される。
【特許文献１】特開２００６−３１４６１０号公報
【発明の開示】
【発明が解決しようとする課題】
【０００４】
しかしながら、従来の複数の表示パネルを有する画像表示装置においては、１の表示パネルに１つのコンテンツを全画面表示させることはできるが、複数の表示パネルに亘って１つのコンテンツを全画面表示することはできなかった。換言すれば、複数の表示パネルを有する画像表示装置は、複数の表示パネルを１つの画面として当該複数の表示パネルにコンテンツを全画面表示するモードと、複数の表示パネルのうちの１つの表示パネルを１つの画面として当該１つの表示パネルにコンテンツを全画面表示するモードとを容易に切り替えることができなかった。
【０００５】
本発明は、かかる問題を解決するためになされたものであり、その目的は、複数の表示パネルを有するとともに、ユーザの希望によって、複数の表示パネルのうちの少なくとも１つの表示パネルの一部にコンテンツが表示される第１のモードから、複数の表示パネルのうちの１つの表示パネルにコンテンツが全画面表示される第２のモードと複数の表示パネルを１つの画面として当該複数の表示パネルに１つのコンテンツが全画面表示される第３のモードとに容易に切り替えることができる画像表示装置、画像表示方法、および画像表示プログラムを提供することである。
【課題を解決するための手段】
【０００６】
この発明のある局面に従うと、画像表示装置が提供される。画像表示装置は、第１および第２の表示パネルと、第１のモードにおいて第１の表示パネルの一部に第１の画像を表示させ、第２のモードにおいて第１の画像に対応する第２の画像を第１の表示パネルに全画面表示させ、第３のモードにおいて第１の画像に対応する第３の画像を第１および第２の表示パネルに全画面表示させる表示制御手段と、第１のモード中に第１の命令を受け付ける受付手段と、第１の命令を受け付けた際に、第１の画像が所定エリアに表示されているか否かを判断する判断手段と、判断手段が第１の画像が所定エリアに表示されていると判断した場合に第３のモードに切り替え、判断手段が第１の画像が所定エリアに表示されていないと判断した場合に第２のモードに切り替える切替手段とを備える。
【０００７】
好ましくは、判断手段は、表示制御手段が第１の表示パネルと第２の表示パネルとに第１の画像を表示させているか否かを判断し、表示制御手段が第１の表示パネルと第２の表示パネルとに第１の画像を表示させている場合に、第１の画像が所定エリアに表示されていると判断する。
【０００８】
好ましくは、受付手段は、第３のモード中に第２の命令を受け付ける。切替手段は、第２の命令を受け付けた際に、第１のモードに切り替える。
【０００９】
好ましくは、受付手段は、第３のモード中に、第２の命令を受け付けるとともに、第１および第２の表示パネルのいずれかを介して、第１および第２の表示パネルのいずれかにおける位置を指定する第１の指定命令を受け付ける。表示制御手段は、第１の指定命令に基づいて、第１および第２の表示パネルのいずれかにおける指定位置に第１の画像を表示させる。
【００１０】
好ましくは、受付手段は、第２のモード中に第３の命令を受け付ける。切替手段は、第３の命令を受け付けた際に、第１のモードに切り替える。
【００１１】
好ましくは、受付手段は、第２のモード中に、第３の命令を受け付けるとともに、第１の表示パネルを介して、第１の表示パネルにおける位置を指定する第２の指定命令を受け付ける。表示制御手段は、第２の指定命令に基づいて、第１の表示パネルにおける指定位置に第１の画像を表示させる。
【００１２】
好ましくは、第１および第２の表示パネルの各々は、入射光に応じて入力信号を生成する複数の光センサ回路と、出力信号に応じて光を発する複数の画素回路とを含む。受付手段は、第１および第２の表示パネルからの入力信号に基づいて命令を受け付ける。表示制御手段は、第１および第２の表示パネルに出力信号を出力することによって、第１および第２の表示パネルに画像を表示させる。
【００１３】
この発明の別の局面に従うと、第１および第２の表示パネルと演算処理部とを備える画像表示装置における画像表示方法が提供される。画像表示方法は、演算処理部が、第１のモードにおいて第１の表示パネルの一部に第１の画像を表示させるステップと、演算処理部が、第２のモードにおいて第１の画像に対応する第２の画像を第１の表示パネルに全画面表示させるステップと、演算処理部が、第３のモードにおいて第１の画像に対応する第３の画像を第１および第２の表示パネルに全画面表示させるステップと、演算処理部が、第１のモード中に第１の命令を受け付けるステップと、演算処理部が、第１の命令を受け付けた際に、第１の画像が所定エリアに表示されているか否かを判断するステップと、演算処理部が、第１の画像が所定エリアに表示されていると判断した場合に第３のモードに切り替えるステップと、演算処理部が、第１の画像が所定エリアに表示されていないと判断した場合に第２のモードに切り替えるステップとを備える。
【００１４】
この発明の別の局面に従うと、第１および第２の表示パネルと演算処理部とを備える画像表示装置に画像を表示させるための画像表示プログラムが提供される。画像表示プログラムは、演算処理部に、第１のモードにおいて第１の表示パネルの一部に第１の画像を表示させるステップと、第２のモードにおいて第１の画像に対応する第２の画像を第１の表示パネルに全画面表示させるステップと、第３のモードにおいて第１の画像に対応する第３の画像を第１および第２の表示パネルに全画面表示させるステップと、第１のモード中に第１の命令を受け付けるステップと、第１の命令を受け付けた際に、第１の画像が所定エリアに表示されているか否かを判断するステップと、第１の画像が所定エリアに表示されていると判断した場合に第３のモードに切り替えるステップと、第１の画像が所定エリアに表示されていないと判断した場合に第２のモードに切り替えるステップとを実行させる。
【発明の効果】
【００１５】
以上のように、本発明によって、複数の表示パネルを有するとともに、ユーザの希望によって、複数の表示パネルのうちの少なくとも１つの表示パネルの一部にコンテンツが表示される第１のモードから、複数の表示パネルのうちの１つの表示パネルにコンテンツが全画面表示される第２のモードと複数の表示パネルを１つの画面として当該複数の表示パネルに１つのコンテンツが全画面表示される第３のモードとに容易に切り替えることができる画像表示装置、画像表示方法、および画像表示プログラムが提供される。
【発明を実施するための最良の形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
［実施の形態１］
＜電子機器１００の全体構成＞
まず、本実施の形態に係る画像表示装置の一例である電子機器１００の全体構成について説明する。本実施の形態においては、静止画像や動画像やテキストなどのコンテンツを示すウィンドウを、表示パネル上に表示される画像の一例として説明する。ただし、画像とは、静止画像自体や動画像自体やテキスト自体をも含む概念である。そして、全画面表示とは、写真画像自体を表示パネルの全面に表示することだけでなく、写真画像を表示するためのウィンドウ（いわゆるビューアのウィンドウ）を表示パネルの全面に表示すること（いわゆる最大化表示）をも含む概念である。逆に、最大化命令とは、写真画像を表示するためのウィンドウを表示パネルの全面に表示する命令だけでなく、写真画像自体を表示パネルの全面に表示する命令をも含む概念である。
【００１８】
図１は、本実施の形態に係る電子機器１００を外観を示す概略図である。より詳細には、図１（Ａ）は第１の表示パネル１４０の一部に写真画像を表示するためのウィンドウＸ（第１の画像）が表示されている状態の電子機器１００を示すイメージ図であり、図１（Ｂ）は第１の表示パネル１４０に写真画像（第２の画像）が全画面表示されている状態を示す電子機器１００を示すイメージ図であり、図１（Ｃ）は第１の表示パネル１４０の一部と第２の表示パネル２４０の一部とに亘って写真画像を表示するためのウィンドウＸが表示されている状態の電子機器１００を示すイメージ図であり、図１（Ｄ）および図（Ｅ）は第１の表示パネル１４０と第２の表示パネル２４０とに写真画像（第３の画像）が全画面表示されている状態を示す電子機器１００を示すイメージ図であり、図１（Ｆ）は第２の表示パネル２４０の一部に写真画像を表示するためのウィンドウＸが表示されている状態の電子機器１００を示すイメージ図である。
【００１９】
図１（Ａ）から図１（Ｆ）を参照して、電子機器１００は、第１の筐体１００Ａと第２の筐体１００Ｂとを含む。第１の筐体１００Ａと第２の筐体１００Ｂとは、ヒンジ１００Ｃにより折畳み可能に接続されている。第１の筐体１００Ａは、第１の光センサ内蔵液晶パネル１４０（以下、第１の表示パネル１４０ともいう。）を備える。第２の筐体１００Ｂは、第２の光センサ内蔵液晶パネル２４０（以下、第２の表示パネル２４０ともいう。）を備える。そして、本実施の形態に係る電子機器１００は、第１および第２の表示パネル１４０，２４０の少なくともいずれかに画像を表示させる。
【００２０】
本実施の形態に係る電子機器１００は、光センサ内蔵液晶パネルを２つ備えるものであるが、いわゆるタブレット機能を有するタッチパネルを２つ備えるものであってもよい。なお、電子機器１００は、ＰＤＡ（Personal Digital Assistant）、ノート型のパーソナルコンピュータ、携帯型電話機、電子辞書などの表示機能を有する携帯型デバイスとして構成される。
【００２１】
＜電子機器１００の動作概要＞
次に、図１（Ａ）から図１（Ｆ）を参照して、本実施の形態に係る電子機器１００の動作概要について説明する。
【００２２】
図１（Ａ）を参照して、電子機器１００は、第１の表示パネル１４０の一部に写真画像を含むウィンドウＸ（第１の画像）を表示させる。この状態において、ユーザが、電子機器１００にウィンドウＸを全画面表示する旨の命令（最大化命令）を入力すると、図１（Ｂ）に示すように、電子機器１００は、第１の表示パネル１４０に写真画像（第２の画像）を全画面表示させる。
【００２３】
すなわち、本実施の形態に係る電子機器１００は、ウィンドウＸの表示エリアが第１の表示パネル１４０内に収まっている状態で最大化命令を受け付けると、第１の表示パネル１４０を１つの画面としてウィンドウＸに対応する写真画像を全画面表示する。ここで、最大化命令とは、たとえば、ユーザによる最大化ボタンとして表示されているウィンドウＸの所定箇所への接触操作であったり、ユーザによる予め定められたファンクションキー（後述する操作キー１７７）の押下であったりする。
【００２４】
ただし、電子機器１００は、ウィンドウＸの表示エリアが第１の表示パネル１４０内に収まっている状態でいわゆる最大化命令を受け付けると、第１の表示パネル１４０を１つの画面としてウィンドウＸをいわゆる最大化表示してもよい。そして、電子機器１００は、ウィンドウＸの表示エリアが第１の表示パネル１４０内に収まっている状態でいわゆる全画面命令を受け付けると、第１の表示パネル１４０を１つの画面として写真画像をいわゆる全画面表示してもよい。
【００２５】
図１（Ｃ）を参照して、ユーザがスタイラスペン９９を用いてウィンドウＸを第１の表示パネル１４０と第２の表示パネル２４０の境界へとドラッグさせる。つまり、電子機器１００は、第１の表示パネル１４０の下部と第２の表示パネル２４０の上部とに亘って写真画像を含むウィンドウＸ（第１の画像）を表示させる。すなわち、電子機器１００は、ユーザからの移動命令に応じて、ウィンドウＸを所定エリアへと移動させる。この状態において、ユーザが、電子機器１００にウィンドウＸを全画面表示する旨の命令（最大化命令）を入力すると、図１（Ｄ）に示すように、電子機器１００は、第１の表示パネル１４０と第２の表示パネル２４０とに写真画像（第３の画像）を全画面表示させる。
【００２６】
すなわち、本実施の形態に係る電子機器１００は、ウィンドウＸの表示エリアが第１の表示パネル１４０と第２の表示パネル２４０とにまたがっている状態（ウィンドウＸが予め設定された所定エリアに位置する状態）で最大化命令を受け付けると、第１の表示パネル１４０と第２の表示パネル２４０とを合わせて１つの画面としてウィンドウＸで表示されていた写真画像を全画面表示する。
【００２７】
より詳細には、たとえば、電子機器１００は、ウィンドウＸの表示エリアが第１の表示パネル１４０と第２の表示パネル２４０とにまたがっている状態で「最大化命令」を受け付けると、第１の表示パネル１４０と第２の表示パネル２４０とを１つの画面として「ウィンドウＸ」をいわゆる「最大化表示」してもよい。そして、電子機器１００は、ウィンドウＸの表示エリアが第１の表示パネル１４０と第２の表示パネル２４０とにまたがっている状態で「全画面表示命令」を受け付けると、第１の表示パネル１４０と第２の表示パネル２４０とを１つの画面として「写真画像自体」をいわゆる「全画面表示」してもよい。
【００２８】
図１（Ｅ）を参照して、電子機器１００は、第１の表示パネル１４０と第２の表示パネル２４０とを合わせて１つの画面として写真画像を全画面表示する。この状態において、ユーザが、スタイラスペン９９などを用いて電子機器１００に第１の表示パネル１４０あるいは第２の表示パネル２４０の位置を指定する位置指定を入力するとともに、電子機器１００にウィンドウＸを通常表示する旨の命令（通常化命令）を入力すると、図１（Ｆ）に示すように、電子機器１００は当該指定位置にウィンドウＸを表示する。
【００２９】
電子機器１００は、ユーザによる予め定められたファンクションキー（後述する操作キー１７７）の押下を通常化命令として受け付ける。なお、このときのウィンドウＸのサイズは、全画面表示される前のウィンドウＸのサイズ（通常サイズ）である。
【００３０】
ただし、電子機器１００は、全画面表示中に位置指定を受け付けると、当該指定位置に通常サイズのウィンドウＸを表示してもよい。
【００３１】
あるいは、電子機器１００は、所定時間以内に所定範囲内において複数の接触操作が入力されると、当該複数の接触操作を通常化命令として受け付けてもよい。この場合には、電子機器１００は、２番目の接触位置を指定位置として受け付けてもよい。
【００３２】
以上のように、本実施の形態に係る電子機器１００は、複数の表示パネル１４０，２４０を有している。そして、本実施の形態に係る電子機器１００は、ウィンドウＸ（コンテンツ）の最大化命令を受け付けた際に、ウィンドウＸの表示位置に応じて、第１の表示パネル１４０にウィンドウＸで表示されているコンテンツを全画面表示させたり、第１の表示パネル１４０と第２の表示パネル２４０とにコンテンツを全画面表示させたりする。
【００３３】
すなわち、本実施の形態に係る電子機器１００は、ウィンドウＸの最大化命令を受け付けた際に、ウィンドウＸの表示位置に応じて、第１の表示パネル１４０の全面をコンテンツに割り当てるか、第１の表示パネル１４０の全面と第２の表示パネル２４０の全面とをコンテンツに割り当てるかを決定した上で、コンテンツを少なくとも第１の表示パネル１４０および第２の表示パネル２４０のいずれかに全画面表示する。
【００３４】
その結果、本実施の形態に係る電子機器１００は、複数の表示パネル１４０，２４０を有するとともに、ユーザの希望によって、複数の表示パネル１４０，２４０のうちの少なくとも１つの表示パネル１４０の一部にコンテンツが表示される第１のモードから、複数の表示パネル１４０，２４０のうちの１つの表示パネル１４０にコンテンツが全画面表示される第２のモードと、複数の表示パネル１４０，２４０を１つの画面として当該複数の表示パネル１４０，２４０に１つのコンテンツが全画面表示される第３のモードとに、容易に切り替えることができる。
【００３５】
以下、このような機能を実現するための構成について詳述する。なお、本実施の形態においては、電子機器１００が光センサ内蔵液晶パネル１４０，２４０を有する場合について説明するが、画像表示装置としての電子機器１００は、通常のタッチパネル型の表示パネルであってもよい。
【００３６】
＜電子機器１００のハードウェア構成＞
次に、電子機器１００の具体的構成の一態様について説明する。図２は、電子機器１００のハードウェア構成を表わすブロック図である。図２を参照して、電子機器１００は、主たる構成要素として、本体装置１０１と、第１の表示装置１０２と、第２の表示装置１０３とを含む。
【００３７】
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、通信部１７４と、マイク１７５と、スピーカ１７６と、操作キー１７７とを含む。各構成要素は、相互にデータバスＤＢ１によって接続されている。メモリカードリーダライタ１７３には、メモリカード１７３１が装着される。
【００３８】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書き込みおよび消去が可能なＲＯＭである。通信部１７４は、図示しない他の電子機器との間で無線通信を行う。なお、図２には図示していないが、電子機器１００が、他の電子機器に有線により接続するためのインターフェイス（ＩＦ）を備える構成としてもよい。
【００３９】
表示装置１０２は、ドライバ１３０と、第１の光センサ内蔵液晶パネル１４０と、内部ＩＦ１７８と、バックライト１７９と、画像処理エンジン１８０とを含む。
【００４０】
ドライバ１３０は、液晶パネル１４０およびバックライト１７９を駆動するための駆動回路である。ドライバ１３０に含まれる各種の駆動回路については、後述する。
【００４１】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００４２】
内部ＩＦ（Interface）１７８は、本体装置１０１と表示装置１０２との間で、データの遣り取りを仲介する。
【００４３】
バックライト１７９は、液晶パネル１４０の裏面に配置された光源である。バックライト１７９は、当該裏面に対して均一な光を照射する。
【００４４】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００４５】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００４６】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００４７】
上記コマンドは、上記光センサによりセンシングを指示するセンシングコマンドを含む。当該センシングコマンドの詳細および上記応答データの詳細については、後述する（図７〜図９）。
【００４８】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００４９】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００５０】
表示装置１０３は、ドライバ２３０と、第２の光センサ内蔵液晶パネル２４０と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００５１】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００５２】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００５３】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００５４】
なお、記憶媒体としては、メモリカードに限られず、ＣＤ−ＲＯＭ、ＦＤ（Flexible Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００５５】
ここでいうプログラムとは、ＣＰＵにより直接実行可能なプログラムだけでなく、ソースプログラム形式のプログラム、圧縮処理されたプログラム、暗号化されたプログラム等を含む。
【００５６】
＜光センサ内蔵液晶パネル１４０の構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００５７】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００５８】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００５９】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００６０】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００６１】
なお、ここでは、いわゆる線順次方式と呼ばれる駆動方式を用いて説明したが、駆動方式はこれに限定されるものではない。
【００６２】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００６３】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００６４】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００６５】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００６６】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００６７】
光センサ駆動回路１３３は、図２に示すドライバ制御部１８１から制御信号ＴＣ２を受ける。
【００６８】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００６９】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００７０】
なお、電圧ＶＤＤＲを印加するタイミング、および電圧ＶＤＤを印加するタイミングについては、後述する。
【００７１】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００７２】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００７３】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００７４】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００７５】
アンプ１３５は、各センサ信号線（ＳＳ１〜ＳＳｎ）から出力された電圧を増幅する。なお、増幅された電圧は、図２に示した信号処理部１８３に送られる。
【００７６】
なお、画素回路１４１を用いて画像を液晶パネル１４０に表示させるタイミングと、光センサ回路１４４を用いてセンシングするタイミングとについては、画像処理エンジン１８０が制御する。
【００７７】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００７８】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００７９】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００８０】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００８１】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００８２】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００８３】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００８４】
なお、フォトダイオード１４５の位置は、上記の位置に限定されるものではなく、カラーフィルタ１５３ｒに対向する位置やカラーフィルタ１５３ｇに対向する位置に設けることも可能である。
【００８５】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００８６】
以下では、光センサ回路１４４をリセットするためのリセット期間と、光センサ回路１４４を用いて光をセンシングするためのセンシング期間と、センシングした結果を読み出す読出期間とに分けて説明する。
【００８７】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【００８８】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【００８９】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【００９０】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【００９１】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【００９２】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【００９３】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【００９４】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【００９５】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【００９６】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【００９７】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【００９８】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【００９９】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１００】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１０１】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１０２】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１０３】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【０１０４】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【０１０５】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１０６】
図６は、液晶パネル１４０とバックライト１７９との断面図であって、スキャンの際にフォトダイオード１４５がバックライト１７９からの光を受光する構成を示した図である。
【０１０７】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１０８】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１０９】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１１０】
以上により、表示装置１０２は、指９００によって光が反射されることにより得られる像（以下、反射像とも称する）をスキャンすることができる。
【０１１１】
なお、指９００以外のスキャン対象物としては、スタイラスペンなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１１２】
＜データについて＞
次に、センシングコマンドについて説明する。なお、表示装置１０２においては、画像処理エンジン１８０は、センシングコマンドの内容を解析し、当該解析の結果に従ったデータ（つまり、応答データ）を本体装置１０１に送り返す。
【０１１３】
図７は、センシングコマンドの概略構成を示した図である。図７を参照して、センシングコマンドは、ヘッダのデータ領域ＤＡ０１と、タイミングを示すデータ領域ＤＡ０２と、データ種別を示すデータ領域ＤＡ０３と、読取方式を示すデータ領域ＤＡ０４と、画像階調を示すデータ領域ＤＡ０５と、解像度を示すデータ領域ＤＡ０６と、予備のデータ領域ＤＡ０７とを含む。
【０１１４】
図８は、センシングコマンドの各領域におけるデータの値と、当該値が示す意味内容とを示した図である。
【０１１５】
図８を参照して、タイミングを示すデータ領域に「００」が設定されたセンシングコマンドは、画像処理エンジン１８０に対して、そのときのスキャンデータの送信を要求する。つまり、センシングコマンドは、当該センシングコマンドを画像処理エンジン１８０が受信した後に、光センサ回路１４４を用いてスキャンすることにより得られるスキャンデータの送信を要求する。また、タイミングを示すデータ領域に「０１」が設定されたセンシングコマンドは、スキャン結果に変化があったときのスキャンデータの送信を要求する。さらに、タイミングを示すデータ領域に「１０」が設定されたセンシングコマンドは、一定周期毎にスキャンデータの送信を要求する。
【０１１６】
データ種別を示すデータ領域に「００１」が設定されたセンシングコマンドは、部分画像における中心座標の座標値の送信を要求する。また、データ種別を示すデータ領域に「０１０」が設定されたセンシングコマンドは、スキャン結果が変化した部分画像のみの送信を要求する。なお、スキャン結果が変化したとは、前回のスキャン結果と今回のスキャン結果が異なっていることを指す。さらに、データ種別を示すデータ領域に「１００」が設定されたセンシングコマンドは、全体画像の送信を要求する。
【０１１７】
ここで、「全体画像」とは、ｍ×ｎ個の光センサ回路を用いてスキャンした際に、各光センサ回路から出力される電圧に基づいて、画像処理エンジン１８０により生成された画像である。また、「部分画像」とは、全体画像の一部である。部分画像に関して、スキャン結果が変化した部分画像のみの送信を要求する構成とした理由については後述する。
【０１１８】
なお、上記座標値と上記部分画像または上記全体画像とを同時に要求する構成としてもよい。また、液晶パネル１４０の表面の一部の領域に関してスキャンを行う構成の場合には、上記全体画像はスキャンが行われる領域に対応した画像となる。
【０１１９】
読取方式を示すデータ領域に「００」が設定されたセンシングコマンドは、バックライト１７９を点灯してスキャンすることを要求する。また、読取方式を示すデータ領域に「０１」が設定されたセンシングコマンドは、バックライト１７９を消灯してスキャンすることを要求する。なお、バックライト１７９を消灯してスキャンする構成については後述する（図１１）。さらに、読取方式を示すデータ領域に「１０」が設定されたセンシングコマンドは、反射と透過とを併用してスキャンすることを要求する。なお、反射と透過とを併用するとは、バックライト１７９を点灯してスキャンする方式と、バックライトを消灯してスキャンする方式とを切り換えて、スキャン対象物のスキャンを行うことを指す。
【０１２０】
画像階調を示すデータ領域に「００」が設定されたセンシングコマンドは、白黒の２値の画像データを要求する。また、画像階調を示すデータ領域に「０１」が設定されたセンシングコマンドは、多階調の画像データを要求する。さらに、画像階調を示すデータ領域に「１０」が設定されたセンシングコマンドは、ＲＧＢのカラーの画像データを要求する。
【０１２１】
解像度を示すデータ領域に「０」が設定されたセンシングコマンドは、解像度の高い画像データを要求する。また、解像度を示すデータ領域に「１」が設定されたセンシングコマンドは、解像度の低い画像データを要求する。
【０１２２】
また、センシングコマンドには、図７および図８に示したデータ以外に、スキャンを行う領域（光センサ回路１４４を駆動する画素の領域）の指定、スキャンを行うタイミング、バックライト１７９の点灯のタイミングなどが記述されている。
【０１２３】
図９は、応答データの概略構成を示した図である。応答データは、センシングコマンドの内容に応じたデータであって、表示装置１０２の画像処理エンジン１８０が本体装置１０１に対して送信するデータである。
【０１２４】
図９を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン１８０のタイマ１８２から取得した時刻情報が書き込まれる。さらに、画像を示すデータ領域には、画像処理エンジン１８０により処理がされた後の画像データ（つまり、スキャンデータ）が書き込まれる。
【０１２５】
図１０は、指９００をスキャンすることにより得られた画像（つまり、スキャン画像）を示した図である。図１０を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１２６】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１２７】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１２８】
ただし、必ずしも中心座標の位置は上記に限定されるものではなく、中心座標を上記図心の座標あるいは図心の近傍の座標としてもよい。
【０１２９】
センシングコマンドのデータ種別を示すデータ領域に「００１」が設定されている場合には、画像処理エンジン１８０は、座標を示すデータ領域ＤＡ１２に上記中心座標の値を書き込む。この場合、画像処理エンジン１８０は、画像を示すデータ領域ＤＡ１４には画像データを書き込まない。画像処理エンジン１８０は、上記中心座標の値の書き込みを行なった後、当該中心座標の値を含む応答データを本体装置１０１に送る。このように、データ種別を示すデータ領域に「００１」が設定されている場合には、センシングコマンドは、画像データの出力を要求せずに、中心座標の値の出力を要求する。
【０１３０】
また、センシングコマンドのデータ種別を示すデータ領域に「０１０」が設定されている場合には、画像処理エンジン１８０は、画像を示すデータ領域ＤＡ１４に、スキャン結果が変化した部分画像の画像データを書き込む。この場合、画像処理エンジン１８０は、中心座標の値を座標を示すデータ領域ＤＡ１２に書き込まない。画像処理エンジン１８０は、上記スキャン結果が変化した部分画像の画像データの書き込みを行なった後、当該部分画像の画像データを含む応答データを本体装置１０１に送る。このように、データ種別を示すデータ領域に「０１０」が設定されている場合には、センシングコマンドは、中心座標の値の出力を要求せずに、スキャン結果が変化した部分画像の画像データの出力を要求する。
【０１３１】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１３２】
また、センシングコマンドのデータ種別を示すデータ領域に「０１１」が設定されている場合には、画像処理エンジン１８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン１８０は、当該中心座標の値と当該部分画像の画像データとを含む応答データを本体装置１０１に送る。このように、データ種別を示すデータ領域に「０１１」が設定されている場合には、センシングコマンドは、中心座標の値の出力と、スキャン結果が変化した部分画像の画像データの出力とを要求する。
【０１３３】
また、センシングコマンドのデータ種別を示すデータ領域に「１００」が設定されている場合には、画像処理エンジン１８０は、図９に示した応答データの画像を示すデータ領域ＤＡ１４に、全体画像の画像データを書き込む。この場合、画像処理エンジン１８０は、中心座標の値を座標を示すデータ領域ＤＡ１２に書き込まない。画像処理エンジン１８０は、上記全体画像の画像データの書き込みを行なった後、当該全体画像の画像データを含む応答データを本体装置１０１に送る。このように、データ種別を示すデータ領域に「１００」が設定されている場合には、センシングコマンドは、中心座標の値の出力を要求せずに、全体画像の画像データの出力を要求する。
【０１３４】
また、センシングコマンドのデータ種別を示すデータ領域に「１０１」が設定されている場合には、画像処理エンジン１８０は、座標を示すデータ領域ＤＡ１２に中心座標の値を書き込むとともに、画像を示すデータ領域ＤＡ１４に全体画像の画像データを書き込む。その後、画像処理エンジン１８０は、当該中心座標の値と当該全体画像の画像データとを含む応答データを本体装置１０１に送る。このように、データ種別を示すデータ領域に「１０１」が設定されている場合には、センシングコマンドは、中心座標の値の出力と、全体画像の画像データの出力とを要求する。
【０１３５】
＜スキャンの方法の変形例＞
次に、図６を参照して説明したスキャンの方法（つまり、反射像をスキャンする方法）とは異なるスキャンの方法について、図１１を参照して説明する。
【０１３６】
図１１は、スキャンの際にフォトダイオードが外光を受光する構成を示した断面図である。図１１を参照して、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１３７】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１３８】
以上により、表示装置１０２は、指９００によって外光が遮られることにより得られる像（以下、影像とも称する）をスキャンすることができる。
【０１３９】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０１４０】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１４１】
＜表示装置について＞
表示装置１０３の動作は、表示装置１０２の動作と同様、本体装置１０１からのコマンド（たとえば、センシングコマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行う。このため、表示装置１０３の構成や動作についての説明は繰り返さない。
【０１４２】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０１４３】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０１４４】
そして、本実施の形態に係る電子機器１００の液晶パネル１４０，２４０は、光センサ内蔵型でなくてもよい。すなわち、本実施の形態に係る電子機器１００の液晶パネル１４０，２４０は、いずれも通常のタッチパネルであってもよい。
【０１４５】
＜本実施の形態に係る電子機器１００の機能構成＞
以下では、図１、図２、図１２を参照して、本実施の形態に係る電子機器１００の機能構成について説明する。なお、図１２は、本実施の形態に係る電子機器１００の機能構成を示すブロック図である。
【０１４６】
本実施の形態に係る電子機器１００は、表示制御部１１１と、受付部１１２と、判断部１１３と、切替部１１４とを含む。また、電子機器１００は、図２にも示したように、複数の光センサ回路１４４および複数の画素回路１４１とを含む第１の表示パネル１４０と、複数の光センサ回路２４４および複数の画素回路２４１とを含む第２の表示パネル２４０と、操作キー１７７とを含む。なお、第１の表示パネルは、第１の光センサ内蔵液晶パネル１４０、画像処理エンジン１８０、内部ＩＦ１７８などを含む第１の表示装置１０２を示す概念であってもよい。そして、第２の表示パネルは、第２の光センサ内蔵液晶パネル２４０、画像処理エンジン２８０、内部ＩＦ２７８などを含む第２の表示装置１０３を示す概念であってもよい。
【０１４７】
まず、第１の表示パネル１４０の複数の光センサ回路１４４のそれぞれは、入射光を受光して、入射光に応じた電気信号を生成する。複数の光センサ回路１４４は全体として、画像処理エンジン１８０（図２）などを介して、入射光に対応する電気信号（画像データ）を受付部１１２に入力する。なお、複数の光センサ回路１４４は、図１１に示すようにバックライト１７９を消灯させた状態で、指やスタイラスペンの位置を読み取ってもよい。
【０１４８】
このように、本実施の形態に係る複数の光センサ回路１４４および画像処理エンジン１８０は全体として第１の操作部を実現する。そして、操作部は、第１の表示パネル１４０を介して第１の表示パネル１４０に表示されているウィンドウＸなどの画像を移動させる移動命令を受け付けたり、第１の表示パネル１４０上の位置を指定する位置指定命令を受け付けたりする。
【０１４９】
第１の表示パネル１４０の複数の画素回路１４１のそれぞれは、表示制御部１１１からの画像データやテキストデータに基づいて、すなわちＣＰＵ１１０からの出力信号に基づいて外部に可視光を発する。より詳細には、複数の画素回路１４１は全体として、画像処理エンジン１８０（図２）などを介して、表示制御部１１１からの画像データやテキストデータに基づいて、バックライト１７９からの光を利用しながら画像やテキストなどのコンテンツを表示する。
【０１５０】
このように、本実施の形態に係る複数の画素回路１４１および画像処理エンジン１８０は全体として第１の表示部を実現する。すなわち、第１の表示部は、第１の表示パネル１４０に画像を表示させる。
【０１５１】
本実施の形態に係る第１の操作部および第１の表示部は第１の表示パネル１４０（第１の表示装置１０２）によって実現されているが、第１の操作部および第１の表示部は、通常のタッチパネル型の表示パネルによって実現されてもよい。なお、第２の表示パネル２４０（第２の表示装置１０３）の構成は、第１の表示パネル１４０（第１の表示装置１０２）の構成と実質的に同じであるため、ここでは説明を繰り返さない。
【０１５２】
表示制御部１１１と、受付部１１２と、判断部１１３と、切替部１１４とは、ＣＰＵ１１０などによって実現される機能である。より詳細には、ＣＰＵ１１０が有する各機能は、ＣＰＵ１１０がＲＡＭ１７１などに記憶される制御プログラムを実行して、図２に示される各ハードウェアを制御することによって実現される機能である。
【０１５３】
まず、表示制御部１１１は、第１のモードにおいて、第１の表示パネル１４０に、その一部にウィンドウＸを表示させる。表示制御部１１１は、第２のモードにおいて、第１の表示パネル１４０あるいは第２の表示パネル２４０に、ウィンドウＸに含まれるコンテンツを全画面表示させる。表示制御部１１１は、第３のモードにおいては、第１の表示パネル１４０および第２の表示パネル２４０に、ウィンドウＸに含まれるコンテンツを全画面表示させる。
【０１５４】
すなわち、表示制御部１１１は、第１のモードにおいては、ウィンドウＸの表示エリアとして第１の表示パネル１４０の一部を割り当てる。表示制御部１１１は、第２のモードにおいては、ウィンドウＸあるいはウィンドウＸ内で表示されるコンテンツの表示エリアに第１の表示パネル１４０の全部あるいは第２の表示パネル２４０の全部を割り当てる。表示制御部１１１は、第３のモードにおいては、ウィンドウＸあるいはウィンドウＸ内で表示されるコンテンツの表示エリアに第１の表示パネル１４０の全部と第２の表示パネル２４０の全部とを割り当てる。
【０１５５】
受付部１１２は、第１および第２の表示パネル１４０，２４０に入力されたウィンドウＸの移動命令（いわゆるドラッグ＆ドロップ操作など）や、第１の表示パネル１４０内の位置を指定するための位置指定命令や、第２の表示パネル２４０の位置を指定するための位置指定命令などを受け付ける。より詳細には、受付部１１２は、複数の光センサ回路１４４，２４４から画像処理エンジン１８０，２８０を介して入力される電気信号に基づいて、指９００やスタイラスペンを介して、第１および第２の表示パネル１４０，２４０に入力された移動命令や位置指定命令などを受け付ける。
【０１５６】
さらに詳細には、受付部１１２は、センシング時間毎に第１の表示パネル１４０の画像処理エンジン１８０から出力される画像データを取得して、当該画像データに基づいて移動命令や位置指定命令などを受け付ける。受付部１１２は、センシング時間毎に第２の表示パネル２４０の画像処理エンジン２８０から出力される画像データを取得して、当該画像データに基づいて移動命令や位置指定命令などを受け付ける。
【０１５７】
受付部１１２は、第１のモード中に、複数の光センサ回路１４４から画像処理エンジン１８０を介して入力される電気信号に基づいて、あるいは操作キー１７７からの電気信号に基づいて、ウィンドウＸあるいはウィンドウＸ内で表示されているコンテンツを最大化表示（全画面表示）させるための最大化命令を受け付ける。
【０１５８】
受付部１１２は、第３のモード中に、複数の光センサ回路１４４から画像処理エンジン１８０を介して入力される電気信号に基づいて、あるいは操作キー１７７からの電気信号に基づいて、第１の表示パネル１４０および第２の表示パネル２４０にて全画面表示されているコンテンツの通常化命令を受け付ける。受付部１１２は、第３のモード中に、通常化命令を受け付けるとともに、第１の表示パネル１４０あるいは第２の表示パネル２４０のいずれかを介して、第１の表示パネル１４０あるいは第２の表示パネル２４０のいずれかにおける位置を指定する第１の位置指定命令を受け付ける。
【０１５９】
なお、表示制御部１１１は、通常化命令と第１の位置指定命令とに基づいて、第１の表示パネル１４０あるいは第２の表示パネル２４０における指定位置にウィンドウＸを表示させる。
【０１６０】
受付部１１２は、第２のモード中に、複数の光センサ回路１４４から画像処理エンジン１８０を介して入力される電気信号に基づいて、あるいは操作キー１７７からの電気信号に基づいて、第１の表示パネル１４０あるいは第２の表示パネル２４０のいずれかにて全画面表示されているウィンドウＸあるいはコンテンツの通常化命令を受け付ける。受付部１１２は、第２のモード中に、通常化命令を受け付けるとともに、第１の表示パネル１４０あるいは第２の表示パネル２４０のいずれかを介して、第１の表示パネル１４０あるいは第２の表示パネル２４０のいずれかにおける位置を指定する第２の位置指定命令を受け付ける。
【０１６１】
表示制御部１１１は、第２の位置指定命令に基づいて、第１の表示パネル１４０あるいは第２の表示パネル２４０における指定位置にウィンドウＸを表示させる。なお、表示制御部１１１は、第１の表示パネル１４０あるいは第２の表示パネル２４０の一方にコンテンツが全画面表示されている場合に、受付部１１２からの当該一方に対する第２の位置指定命令に応じて、当該一方の指定位置にウィンドウＸを表示させる。ただし、表示制御部１１１は、第１の表示パネル１４０あるいは第２の表示パネル２４０の一方にコンテンツが全画面表示されている場合に、受付部１１２からの第１の表示パネル１４０あるいは第２の表示パネル２４０の他方に対する第２の位置指定命令に応じて、当該他方の指定位置にウィンドウＸを表示させてもよい。
【０１６２】
ここで、受付部１１２は、画像処理エンジン１８０から出力された第１の画像データをＲＡＭ１７１に記憶してもよい。すなわち、受付部１１２は、ＲＡＭ１７１の第１の画像データを常時最新の画像データに更新してもよい。同様に、受付部１１２は、画像処理エンジン２８０から出力された第２の画像データをＲＡＭ１７１に記憶してもよい。すなわち、受付部１１２は、ＲＡＭ１７１の第２の画像データを常時最新の画像データに更新してもよい。
【０１６３】
なお、受付部１１２は、ＣＰＵ１１０と第１の表示パネル１４０の複数の光センサ回路１４４と第２の表示パネル２４０の複数の光センサ回路２４４とによって実現される機能であってもよい。すなわち、受付部１１２は、ＣＰＵ１１０の一部の機能と第１の表示パネル１４０の受光機能と第２の表示パネル２４０の受光機能とを含む機能ブロックを示す概念であってもよい。
【０１６４】
判断部１１３は、受付部１１２が最大化命令を受け付けた際に、ウィンドウＸが、予め定められた第１の表示パネル１４０あるいは第２の表示パネル２４０に設定された所定エリアに表示されているか否かを判断する。たとえば、所定エリアは、第１の表示パネル１４０あるいは第２の表示パネル２４０の各々のうちの、上端部分、右端部分、下端部分、左端部分、中央部分のいずれか１つを含んでもよいし、それらの複数の部分を含んでもよい。
【０１６５】
すなわち、判断部１１３は、ウィンドウＸの左上の座標やウィンドウＸの中心座標が上記の所定エリア内に位置するか否かに応じて、ウィンドウＸが所定エリアに表示されているか否かを判断する。あるいは、判断部１１３は、ウィンドウＸの表示エリアが、上記の所定エリア内に収まるか否かに応じて、ウィンドウＸが所定エリアに表示されているか否かを判断する。
【０１６６】
そして、以下に説明するように、本実施の形態に係る判断部１１３は、表示制御部１１１が第１の表示パネル１４０と第２の表示パネル２４０とに亘ってウィンドウＸを表示しているか否かを判断する。
【０１６７】
より詳細には、判断部１１３は、表示制御部１１１が第１の表示パネル１４０と第２の表示パネル２４０とに亘ってウィンドウＸを表示している場合に、ウィンドウＸが所定エリアに表示されていると判断する。逆に、判断部１１３は、表示制御部１１１が第１の表示パネル１４０内にウィンドウＸを表示している場合および表示制御部１１１が第２の表示パネル２４０内にウィンドウＸを表示している場合には、ウィンドウＸが所定エリアに表示されていないと判断する。
【０１６８】
換言すれば、判断部１１３は、表示制御部１１１からウィンドウＸに割り当てられている表示エリアを示すウィンドウ情報を取得する。たとえば、ウィンドウ情報は、ウィンドウＸに割り当てられた表示エリアを特定するためのウィンドウＸの４隅の座標であってもよい。あるいは、ウィンドウ情報は、ウィンドウＸの左上隅の座標とウィンドウＸの横サイズ（ドット数）とウィンドウＸの縦サイズ（ドット数）とを含んでもよい。
【０１６９】
そして、判断部１１３は、ＲＡＭ１７１から第１の表示パネル１４０に対応する第１の座標範囲を取得する。判断部１１３は、ＲＡＭ１７１から第２の表示パネル２４０に対応する第２の座標範囲を取得してもよい。
【０１７０】
判断部１１３は、ウィンドウ情報と第１の座標範囲と（第２の座標範囲と）に基づいて、ウィンドウＸの表示エリアが第１の表示パネル１４０と第２の表示パネル２４０とにまたがっているかを判断する。すなわち、判断部１１３は、ウィンドウＸの表示エリアが第１の表示パネル１４０と第２の表示パネル２４０とにまたがっている場合に、ウィンドウＸが所定エリアに表示されていると判断する。
【０１７１】
判断部１１３は、ウィンドウ情報と第１の座標範囲とに基づいて、ウィンドウＸの表示エリアが第１の表示パネル１４０からはみ出しているか否かを判断してもよい。すなわち、ウィンドウＸの表示エリアが第１の表示パネル１４０からはみ出している場合に、ウィンドウＸが所定エリアに表示されていると判断してもよい。
【０１７２】
判断部１１３は、ウィンドウ情報と第２の座標範囲とに基づいて、ウィンドウＸの表示エリアが第２の表示パネル２４０からはみ出しているか否かを判断してもよい。すなわち、ウィンドウＸの表示エリアが第２の表示パネル２４０からはみ出している場合に、ウィンドウＸが所定エリアに表示されていると判断してもよい。
【０１７３】
あるいは、判断部１１３は、ウィンドウ情報に基づいて、ウィンドウＸが予め定められた第１の表示パネル１４０の下端部分に位置するか否かを判断し、ウィンドウＸが予め定められた第２の表示パネル２４０の上端部分に位置するか否かを判断してもよい。そして、判断部１１３は、ウィンドウＸが第１の表示パネル１４０の下端部分に位置するとともに、ウィンドウＸが第２の表示パネル２４０の上端部分に位置する場合に、ウィンドウＸが所定エリアに表示されていると判断してもよい。
【０１７４】
切替部１１４は、受付部１１２が最大化命令を受け付けた際において、判断部１１３がウィンドウＸが所定エリアに表示されていると判断した場合に第３のモードに切り替え、判断部１１３がウィンドウＸが所定エリアに表示されていないと判断した場合に第２のモードに切り替える。また、切替部１１４は、第３のモード中および第２のモード中に、受付部１１２が通常化命令を受け付けると、第１のモードに切り替える。
【０１７５】
＜本実施の形態に係る画像表示処理＞
次に、図１、図２、図１２、図１３を参照して、本実施の形態に係る電子機器１００における画像表示処理について説明する。なお、図１３は、本実施の形態に係る電子機器１００における画像表示処理の処理手順を示すイメージ図である。以下では、第１の表示パネル１４０あるいは第２の表示パネル２４０に表示されているウィンドウＸ内に表示されているコンテンツを第１の表示パネル１４０および第２の表示パネル２４０の少なくともいずれかに全画面表示させる場合について説明する。
【０１７６】
まず、受付部１１２として機能するＣＰＵ１１０は第１のモードであるか否かを判断する（ステップＳ１０２）。第１のモードにおいては（ステップＳ１０２にてＹＥＳである場合）、ＣＰＵ１１０は、第１および第２の表示パネル１４０，２４０の複数の光センサ回路１４４，２４４からの電気信号を、画像処理エンジン１８０，２８０を介して画像データとして受け付ける。換言すれば、ＣＰＵ１１０は、画像処理エンジン１８０，２８０（表示装置１０２，１０３）から常時画像データを取得する。
【０１７７】
ＣＰＵ１１０は、画像処理エンジン１８０，２８０からの画像データに基づいて、ウィンドウＸの移動命令を受け付けたか否かを判断する（ステップＳ１０４）。表示制御部１１１として機能するＣＰＵ１１０は、受付部１１２がウィンドウＸの移動命令を受け付けると（ステップＳ１０４にてＹＥＳである場合）、移動命令に基づいて第１の表示パネル１４０上のウィンドウＸを移動させる（ステップＳ１０６）。ＣＰＵ１１０は、画像最大化命令（画像全画面表示命令）を受け付けたか否かを判断する（ステップＳ１０８）。
【０１７８】
ＣＰＵ１１０は、画像最大化命令を受け付けない場合（ステップＳ１０８にてＮＯである場合）、ステップＳ１０４からの処理を繰り返す。判断部１１３として機能するＣＰＵ１１０は、画像最大化命令を受け付けた場合（ステップＳ１０８にてＹＥＳである場合）、ウィンドウＸが第１の表示パネル１４０と第２の表示パネル２４０とに亘って表示されているか否かを判断する（ステップＳ１１０）。
【０１７９】
ウィンドウＸが第１の表示パネル１４０と第２の表示パネル２４０とに亘って表示されている場合（ステップＳ１１０にてＹＥＳである場合）、切替部１１４として機能するＣＰＵ１１０は第３のモードへ切り替える（ステップＳ１１４）。逆に、ウィンドウＸが第１の表示パネル１４０と第２の表示パネル２４０とに亘って表示されていない場合（ステップＳ１１０にてＮＯである場合）、すなわちウィンドウＸが第１の表示パネル１４０内に表示されている場合あるいはウィンドウＸが第２の表示パネル２４０内に表示されている場合、ＣＰＵ１１０は第２のモードへ切り替える（ステップＳ１１２）。
【０１８０】
一方、第１のモードでない場合（ステップＳ１０２にてＮＯである場合）、ＣＰＵ１１０は、通常化命令を受け付けたか否かを判断する（ステップＳ１２２）。ＣＰＵ１１０は、通常化命令を受け付けた場合（ステップＳ１２２にてＹＥＳである場合）、所定時間内に位置指定命令を受け付けたか否かを判断する（ステップＳ１２４）。
【０１８１】
ＣＰＵ１１０は、所定時間内に位置指定命令とを受け付けた場合（ステップＳ１２４にてＹＥＳである場合）、第１のモードへ切り替えた上で（ステップＳ１２６）、第１の表示パネル１４０あるいは第２の表示パネル２４０に指定位置にウィンドウＸを表示させる（ステップＳ１２８）。ただし、ＣＰＵ１１０は、位置指定命令を受け付けている間に、通常化命令を受け付けてもよい。
【０１８２】
ＣＰＵ１１０は、所定時間内に位置指定命令を受け付けない場合（ステップＳ１２４にてＮＯである場合）、第１のモードへ切り替えた上で（ステップＳ１３０）、第１の表示パネル１４０あるいは第２の表示パネル２４０に元々ウィンドウＸが表示されていた指定位置にウィンドウＸを表示させる（ステップＳ１３２）。
【０１８３】
＜その他の実施の形態＞
本発明は、システム或いは装置にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０１８４】
この場合、記憶媒体から読出されたプログラムコード自体が前述した実施の形態の機能を実現することになり、そのプログラムコードを記憶した記憶媒体は本発明を構成することになる。
【０１８５】
プログラムコードを供給するための記憶媒体としては、例えば、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【０１８６】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１８７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０１８８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１８９】
【図１】実施の形態１に係る電子機器を外観を示す概略図である。
【図２】電子機器のハードウェア構成を表わすブロック図である。
【図３】液晶パネルの構成と当該液晶パネルの周辺回路とを示した図である。
【図４】液晶パネルとバックライトとの断面図である。
【図５】光センサ回路を動作させる際のタイミングチャートを示した図である。
【図６】スキャンの際にフォトダイオードがバックライトからの光を受光する構成を示した断面図である。
【図７】センシングコマンドの概略構成を示した図である。
【図８】センシングコマンドの各領域におけるデータの値と当該値が示す意味内容とを示した図である。
【図９】応答データの概略構成を示した図である。
【図１０】指をスキャンすることにより得られた画像を示した図である。
【図１１】スキャンの際にフォトダイオードが外光を受光する構成を示した断面図である。
【図１２】実施の形態１に係る電子機器の機能構成を示すブロック図である。
【図１３】実施の形態１に係る電子機器における画像表示処理の処理手順を示すイメージ図である。
【符号の説明】
【０１９０】
１００  電子機器、１０１  本体装置、１０２，１０３  表示装置、１１０  ＣＰＵ、１１１  表示制御部、１１２  受付部、１１３  判断部、１１４  切替部、１３０  ドライバ、１３１  走査信号線駆動回路、１３２  データ信号線駆動回路、１３３  光センサ駆動回路、１３４  スイッチ、１３５  アンプ、１４０  第１の光センサ内蔵液晶パネル（第１の表示パネル）、１４１，２４１  画素回路、１４１ｂ，１４１ｇ，１４１ｒ  サブピクセル回路、１４３  電極対、１４３ａ  画素電極、１４３ｂ  対向電極、１４４，２４４  光センサ回路、１４５，１４５ｂ，１４５ｇ，１４５ｒ  フォトダイオード、１４６  コンデンサ、１５１Ａ  アクティブマトリクス基板、１５１Ｂ  対向基板、１５２  液晶層、１５３ｂ，１５３ｇ，１５３ｒ  カラーフィルタ、１５７  データ信号線、１６１  偏光フィルタ、１６２  ガラス基板、１６３  遮光膜、１６４  配向膜、１７１  ＲＡＭ、１７３  メモリカードリーダライタ、１７４  通信装置、１７５  マイク、１７６  スピーカ、１７７  操作キー、１７９  バックライト、１８０  画像処理エンジン、１８１  ドライバ制御部、１８２  タイマ、１８３  信号処理部、２４０  第２の光センサ内蔵液晶パネル（第２の表示パネル）、１７３１  メモリカード、ＤＢ１，ＤＢ２  データバス。
【図１】
2010122376.tif 000003
【図２】
2010122376.tif 000004
【図３】
2010122376.tif 000005
【図４】
2010122376.tif 000006
【図５】
2010122376.tif 000007
【図６】
2010122376.tif 000008
【図７】
2010122376.tif 000009
【図８】
2010122376.tif 000010
【図９】
2010122376.tif 000011
【図１０】
2010122376.tif 000012
【図１１】
2010122376.tif 000013
【図１２】
2010122376.tif 000014
【図１３】
2010122376.tif 000015